(57)【要約】      （修正有）【課題】着用位置のずれが生じにくく、呼吸負荷を改善して息苦しさを感じることなく快適に着用することができるマスクを提供する。【解決手段】着用者の鼻から顎にかけての顔面の下部を覆うマスクであって、上端縁の中央は鼻と接するが、下端縁の中央は顎の前方に位置して口周辺とは接しないように立体状に形成された前面部１と、下端縁から顎に向かって略水平方向に張り出している略二等辺三角形の布地であって、略二等辺三角形の二等辺の部分が前面部１の下端縁の中央から左右両端部付近までと結合している平面下部と、下端縁の左右両端部を連結する顎下を通す紐状の伸縮性材料により形成されている顎下紐部と、顔面に装着するために耳に係止される左右一対の耳掛け部４を備える。【選択図】図１
0003228108.tif 000002
【実用新案登録請求の範囲】
【請求項１】
着用者の鼻から顎にかけての顔面の下部を覆うマスクであって、
上端縁の中央は前記鼻と接するが、下端縁の中央は前記顎の前方に位置して口周辺とは接しないように立体状に形成された前面部と、
前記下端縁から前記顎に向かって略水平方向に張り出している略二等辺三角形の布地であって、前記略二等辺三角形の二等辺の部分が前記前面部の下端縁の中央から左右両端部付近までと結合している平面下部と、
前記下端縁の左右両端部を連結する顎下を通す紐状の伸縮性材料により形成されている顎下紐部と、
前記顔面に装着するために耳に係止される左右一対の耳掛け部を備え、
外力が加えられても形状を維持するように、前記前面部の縦中心線上の部分、及び前記前面部の周縁部分が補強されていることを特徴とするマスク。
【請求項２】
前記補強は強度のある生地を縫い込むこと、または可撓性を有する芯材を埋め込むことによってなされていることを特徴とする請求項１に記載のマスク。
【請求項３】
前記補強がされている前記前面部の縦中心線上の部分は、前記前面部の上端縁の中央から前記着用者の人中の前方に当たる位置までの部分、または前記前面部の上端縁の中央から前記前面部の下端縁の中央までの部分であることを特徴とする請求項１または２に記載のマスク。
【考案の詳細な説明】
【技術分野】
【０００１】
本考案は、マスクに関する。
【背景技術】
【０００２】
インフルエンザや風邪の予防、花粉症対策などのためにマスクを着用するが、スポーツなどで口を大きく動かした際に、着用位置のずれが生じやすく、着用者が置かれている状況によっては直ちにマスクのずれを直すことができずに、鼻孔や口が覆われていない状態が一定時間続いてしまうという事態が発生する。
【０００３】
そこで、マスクが着用位置からずれるのを防止するため、様々なマスクが提案されている。
例えば、上下方向に広がることが可能なプリーツが形成されたマスク本体と、前記マスク本体を顔に装着できるように前記マスク本体の左右の側端縁部に装着紐を備えたプリーツマスクにおいて、前記マスク本体の内側を通る固定紐と、前記マスク本体の上縁側の左右の角部付近に、前記固定紐に引っ掛かる紐引掛り部とを有し、前記固定紐に左右の前記紐引掛り部が引っ掛かったことを特徴とするずれ防止マスクが提供されている（特許文献１を参照）。
【先行技術文献】
【特許文献】
【０００４】
【特許文献１】特開２０２０−８４３３９号公報
【考案の概要】
【考案が解決しようとする課題】
【０００５】
しかしながら、従来技術では、マスクがずれるのを防止することができても、呼吸に対する負荷が解消されず、運動している時や暑い時に長時間マスクを着用し続けることが困難になるという問題が生じる。
そこで、呼吸負荷を少なくするために薄い伸縮性が高い素材を採用した場合は、顔とマスクの間の通気のための空間が小さくなるために、マスクが口に密着してしまう事が多く、むしろ呼吸負荷が大きくなるという問題がある。
さらに、状況によっては口の中にマスク生地を噛みこんでしまうことによる不快さや、肌に密着する面積が大きいために汗で濡れやすくなるという問題も生じる。
そこで、本考案の目的は、着用位置のずれが生じにくく、呼吸負荷を改善して息苦しさを感じることなく快適に着用することができるマスクを提供することにある。
【課題を解決するための手段】
【０００６】
上記の課題を解決するために、請求項１記載の考案は、着用者の鼻から顎にかけての顔面の下部を覆うマスクであって、上端縁の中央は前記鼻と接するが、下端縁の中央は前記顎の前方に位置して口周辺とは接しないように立体状に形成された前面部と、前記下端縁から前記顎に向かって略水平方向に張り出している略二等辺三角形の布地であって、前記略二等辺三角形の二等辺の部分が前記前面部の下端縁の中央から左右両端部付近までと結合している平面下部と、前記下端縁の左右両端部を連結する顎下を通す紐状の伸縮性材料により形成されている顎下紐部と、前記顔面に装着するために耳に係止される左右一対の耳掛け部を備え、外力が加えられても形状を維持するように、前記前面部の縦中心線上の部分、及び前記前面部の周縁部分が補強されていることを特徴とする。
【０００７】
請求項２記載の考案は、前記補強は強度のある生地を縫い込むこと、または可撓性を有する芯材を埋め込むことによってなされていることを特徴とする。
【０００８】
請求項３記載の考案は、前記補強がされている前記前面部の縦中心線上の部分は、前記前面部の上端縁の中央から前記着用者の人中の前方に当たる位置までの部分、または前記前面部の上端縁の中央から前記前面部の下端縁の中央までの部分であることを特徴とする。
【考案の効果】
【０００９】
第１に、マスク内の鼻孔及び口周辺に空間を作り出す立体的な構造としたことにより、呼吸負荷を改善して息苦しさを感じることなく快適にマスクを着用することができるという効果が発生する。
第２に、マスクが着用者の肌に密着する部分が少ないので、体温上昇や汗による濡れが減少し乾燥を早めるという効果が発生する。
【図面の簡単な説明】
【００１０】
【図１】本考案に係るマスクを外側から示した説明図である。
【図２】本考案に係るマスクを下方から示した説明図である。
【図３】本考案に係るマスクを下方内側から示した説明図である。
【考案を実施するための形態】
【００１１】
以下、図面を参照しながら、本願考案の実施の形態について説明する。
なお、本考案のマスクを実際に着用した場合の着用者の肌側を内側といい、反対側を外側という。また、着用者の顔の上側に対応する側を上方といい、下側に対応する側を下方という。
【実施例１】
【００１２】
本考案は、着用者の鼻から顎にかけての顔面の下部を覆うマスクに関するものである。
図１は、本考案に係るマスクを外側から示した説明図であり、図２は、本考案に係るマスクを下方から示した説明図である。
図１及び図２に示すように、本考案に係るマスクは、上端縁の中央は着用者の鼻と接するが、下端縁の中央は着用者の顎の前方に位置して口周辺とは接しないように立体状に形成された前面部１と、前面部１の下端縁から顎に向かって略水平方向に張り出している略二等辺三角形の布地であって、略二等辺三角形の二等辺の部分が前面部１の下端縁の中央から左右両端部付近までと結合している平面下部２と、前面部１の下端縁の左右両端部を連結する顎下を通す紐状の伸縮性材料により形成されている顎下紐部３と、着用者の顔面に装着するために耳に係止される左右一対の耳掛け部４を備える。
【００１３】
前面部１は、上端縁の中央は着用者の鼻と接するが、下端縁の中央は着用者の顎の前方に位置して口周辺とは接しないように立体状に形成されている。着用者の顎の前方であれば、顎の前方斜め下でも良い。
着用時に前面部１の内側と着用者の鼻孔、口及び顎は接触せず、マスク内の口周辺に空間を作り出す構造となっている。
マスク内の鼻孔及び口周辺の部分に空間が形成されるため、マスクを装着しても呼吸が楽であり、息苦しさを感じることなく快適に着用することができる。
前面部１は、特に材料を限定せず、例えば、乾式不織布、湿式不織布、スパンメルト不織布、スパンレース不織布等の不織布類、化合繊製織物、ニット類など、様々なものを用いることができる。
なお、下端縁の両端部に、顎下紐部３及び耳掛け部４を結び直すことができるように環状部分が形成されていても良い。同様に、上端縁の両端部も、耳掛け部４を結び直すことができるように環状部分が形成されていても良い。
【００１４】
前面部１は、外力が加えられても形状を維持するように、前面部１の縦中心線上の部分、及び前面部１の周縁部分が補強されている。補強部分が立体的な構造のマスクの支持架としての役割をもち、着用者の口の前に形成されるマスク内の空間を保持するためである。
補強がされている部分について、さらに詳しく説明する。
第１に、前面部１の上端縁を二等分する縦中心線上の部分を補強している。より具体的には、前面部１の上端縁の中央から着用者の人中の前方に当たる位置までの部分、または前面部１の上端縁の中央から前面部１の下端縁の中央までの部分である。立体的な形状を維持して、鼻尖の下から顎にかけてマスクが口周辺に密着しないようにして、マスク内の空間を保持するためである。
図１及び図３は、前面部１の上端縁の中央から着用者の人中の前方に当たる位置までの部分を補強している場合を示している。
前面部１の上端縁の中央から着用者の人中の前方に当たる位置までの部分、または前面部１の上端縁の中央から前面部１の下端縁の中央までの部分のいずれであっても、補強がされている部分の一部は着用者の鼻梁に接する。
第２に、前面部１の両側縁を補強している。立体的な形状を維持するため前面部１の左右の両側縁を強化し、耳にかけるゴムの張力で両側縁が縮み、両側縁の下方が上がるのを防ぐことで立体的構造を維持し空間を保持するためである。
第３に、前面部１の下端縁を補強している。前面部１の下端縁中央付近が着用者の顎に接したりしてマスク内の空間が狭くならないようにするためである。
第４に、前面部１の上端縁を補強している。前面部１の上端縁中央が着用者の鼻梁に位置するのを維持するためである。
補強の方法としては、補強部分に強度のある生地を縫い込む方法、あるいは補強部分に可撓性を有する芯材を埋め込む方法など様々な方法が可能である。可撓性を有する芯材としては、ワイヤーなど様々なものが使用可能である。
このように形成したことにより、前面部１が着用者の肌と接するのは、上端縁及び両側縁付近の内側、上端縁中央から着用者の鼻尖の前までの補強部分の内側などである。
【００１５】
図３は、本考案に係るマスクを下方内側から示した説明図である。図３に示すように、平面下部２は、前面部１の下端縁から着用者の顎に向かって略水平方向に張り出している略二等辺三角形の布地であって、略二等辺三角形の二等辺の部分が前面部１の下端縁の中央から前面部１の下端縁の左右両端部付近までと結合している。そして、略二等辺三角形の頂点の部分が前面部１の下端縁の中央で結合している。
前面部１の下端縁の中央付近が顎に接触せずに顎の前方方向に出ていることによって生じた空いた部分を塞ぐために設けられるものである。前面部１だけではマスク内の空間の下方が開口してしまい飛沫が落下するため、平面下部２によって飛沫が落下するのを抑止している。
平面下部２の布地は、綿布など様々な布地が使用可能である。
【００１６】
図３に示すように、顎下紐部３は、前面部１の下端縁の左右両端部を連結する着用者の顎下を通す紐状の伸縮性材料により形成されている。
顎下紐部３は、着用者の下顎に引っ掛かる伸縮性のあるもので形成されている。顎下を通す伸縮性材料からなる紐状の顎下紐部３を装着することで、前面部１の両側縁下が耳側にずれてマスク内の空間が狭くなることを防いでいる。また、運動時にマスクが上にずれることも防ぎ、耳掛け部４によって上の方に引っ張られようとすることを、この顎下紐部３によって阻止している。
また、顎下紐部３により前面部１の両側縁が着用者の頬に当接するようになるので、マスクの側面からの細菌や塵埃の侵入を阻止することにも役立っている。
顎下紐部３は、部分的に着用者の顎下と当接し、ゴム紐からなる紐状体または平織りのゴム紐からなる帯状体のものが使用可能である。
顎下紐部３は、着用者の顎の大きさに合わせて下端縁の左右両端部において結び直すことができるように環状部分が形成されていても良い。
【００１７】
耳掛け部４は、マスクを着用者の顔面に装着するために着用者の耳に係止される左右一対のものであり、ゴム紐からなる紐状体または平織りのゴム紐からなる帯状体のものが使用可能である。耳掛け部４は伸縮性の部材からなり、マスクに対して斜め上に引っ張って、着用者の左右の耳に掛けられるようになっている。
なお、前面部１の上端縁及び下端縁の両端部に、耳掛け部４を結び直すことができるように環状部分が形成されていても良い。
【００１８】
本実施例による効果について、説明する。
第１に、マスク内の鼻孔及び口周辺に空間を作り出す立体的な構造としたことにより、呼吸負荷を改善して息苦しさを感じることなく快適にマスクを着用することができるという効果が発生する。
第２に、マスクが着用者の肌に密着する部分が少ないので、体温上昇や汗による濡れが減少し乾燥を早めるという効果が発生する。
第３に、マスクが着用者の肌に密着する部分が少ないので、顔を化粧した場合でもマスクに化粧が付着するのを少なくすることができるという効果が発生する。
第４に、前面部１の縦中心線上の部分、及び前面部１の周縁部分が補強されているので、マスクが着用位置からずれないという効果が発生する。
第５に、顎下紐部３を設けることで、マスクが上方にずれることや両側に広がることを防止できるという効果が発生する。
【符号の説明】
【００１９】
１  前面部
２  平面下部
３  顎下紐部
４  耳掛け部
【図１】
0003228108.tif 000003
【図２】
0003228108.tif 000004
【図３】
0003228108.tif 000005